(57)【要約】【課題】  本発明の目的は、光ディスク媒体に記録する時間が短縮される光ディスク装置、光ディスク情報記録方法及び光ディスク媒体を提供することにある。【解決手段】  光ディスク媒体（６）は、制御管理情報が記録されるシステム領域（２２）とユーザデータが記録されるデータ領域（２３）とを備える。前記データ領域（２３）は、ボーダ領域（３２、３２−１〜３）で区切られる複数のボーダ付き領域（３１、３１−１〜３）を備える。光ディスク媒体（６）は、最外周に記録される前記ボーダ領域（３２−３）が記録される最後の領域であるファイナライズ領域であることを識別する手段を有する。【選択図】  図５
2005317073.tif 000002
【特許請求の範囲】
【請求項１】
制御管理情報が記録されるシステム領域と、
ユーザデータが記録されるデータ領域と
を備える光ディスク媒体であって、
前記データ領域は、ボーダ領域で区切られる複数のボーダ付き領域を備え、
最外周に記録される前記ボーダ領域が記録される最後の領域であるファイナライズ領域であることを識別する手段を有する光ディスク媒体。
【請求項２】
請求項１に記載の光ディスク媒体において、
前記ボーダ領域は、前記ボーダ付き領域の内周端側に隣接するボーダイン領域を含み、
前記ボーダイン領域は、前記ボーダイン領域に隣接する前記ボーダ付き領域の外周側に隣接する前記ボーダ領域が前記ファイナライズ領域であるか否かを示すエリア兼用フラグが記録される領域を備える光ディスク媒体。
【請求項３】
請求項１または請求項２に記載の光ディスク媒体において、
前記ボーダ領域は、記録される情報の種類を示す属性を有し、
前記ボーダ領域が前記ファイナライズ領域である場合に、他のボーダ領域と異なる前記属性が設定される光ディスク媒体。
【請求項４】
請求項３に記載の光ディスク媒体において、
前記他のボーダ領域と異なる前記属性は、リードアウト属性である光ディスク媒体。
【請求項５】
請求項１から請求項４のいずれかに記載の光ディスク媒体において、
前記ボーダ領域は、前記ボーダ付き領域の外周端側に隣接するボーダアウト領域を含み、
前記ボーダ領域が前記ファイナライズ領域である場合に、前記ボーダアウト領域に記録されるダミーデータは他のボーダアウト領域に記録されるダミーデータと異なる値である
光ディスク媒体。
【請求項６】
請求項５に記載の光ディスク媒体において、
前記ファイナライズ領域の前記ボーダアウト領域に記録されるダミーデータは、ＦＦｈ（ｈは１６進数表記を示す）である光ディスク媒体。
【請求項７】
制御管理情報を記録するシステム領域と
ユーザデータを記録するデータ領域と
を備える光ディスク媒体に情報を記録する光ディスク装置であって、
前記データ領域は、ボーダ領域で区切られる複数のボーダ付き領域を備え、
最外周に記録される前記ボーダ領域が記録される最後の領域であるファイナライズ領域であることを識別する手段を記録する光ディスク装置。
【請求項８】
請求項７に記載の光ディスク装置において、
前記ボーダ領域は、前記ボーダ付き領域の内周端側に隣接するボーダイン領域を含み、
前記ボーダイン領域に隣接する前記ボーダ付き領域の外周側に隣接する前記ボーダ領域が前記ファイナライズ領域であるか否かを示すエリア兼用フラグを前記ボーダイン領域に記録する光ディスク装置。
【請求項９】
請求項７または請求項８に記載の光ディスク装置において、
前記ボーダ領域は、記録される情報の種類を示す属性を有し、
前記ボーダ領域が前記ファイナライズ領域である場合に、前記ボーダ領域に他のボーダ領域と異なる前記属性を設定する光ディスク装置。
【請求項１０】
請求項９に記載の光ディスク装置において、
前記他のボーダ領域と異なる前記属性は、リードアウト属性である光ディスク装置。
【請求項１１】
請求項７から請求項１０のいずれかに記載の光ディスク装置において、
前記ボーダ領域は、前記ボーダ付き領域の外周端側に隣接するボーダアウト領域を含み、
前記ボーダ領域が前記ファイナライズ領域である場合に、他のボーダアウト領域に記録されるダミーデータと異なる値のダミーデータを前記ボーダアウト領域に記録する光ディスク装置。
【請求項１２】
制御管理情報が記録されるシステム領域と
ユーザデータが記録されるデータ領域と
を備える光ディスク媒体から情報を再生する光ディスク装置であって、
前記データ領域は、ボーダ領域で区切られる複数のボーダ付き領域を備え、
記録される最後の領域であるファイナライズ領域であることを識別する手段を再生することによって最外周に記録される前記ボーダ領域を識別する光ディスク装置。
【請求項１３】
請求項１２に記載の光ディスク装置において、
前記ボーダ領域は、前記ボーダ付き領域の内周端側に隣接するボーダイン領域を含み、
前記ボーダイン領域に隣接する前記ボーダ付き領域の外周側に隣接する前記ボーダ領域が前記ファイナライズ領域であるか否かを示すエリア兼用フラグを前記ボーダイン領域から再生し、
再生した前記エリア兼用フラグに基づいて前記ファイナライズ領域を識別する光ディスク装置。
【請求項１４】
請求項１２または請求項１３に記載の光ディスク装置において、
前記ボーダ領域は、記録される情報の種類を示す属性を有し、
再生される前記ボーダ領域の前記属性が前記ボーダ領域の内周側のボーダ領域の属性と異なる場合に、前記再生される前記ボーダ領域が前記ファイナライズ領域であることを識別する光ディスク装置。
【請求項１５】
請求項１４に記載の光ディスク装置において、
前記ボーダ領域の内周側のボーダ領域の属性と異なる属性は、リードアウト属性である光ディスク装置。
【請求項１６】
請求項１２から請求項１５のいずれかに記載の光ディスク装置において、
前記ボーダ領域は、前記ボーダ付き領域の外周端側に隣接するボーダアウト領域を含み、
前記ボーダアウト領域から再生されるダミーデータが前記ボーダアウト領域の内周側のボーダアウト領域から再生されるダミーデータと異なる値の場合、前記ボーダアウト領域が前記ファイナライズ領域であることを識別する光ディスク装置。
【請求項１７】
制御管理情報が記録されるシステム領域と、
ユーザデータが記録されるデータ領域と
を備える光ディスク媒体に記録する光ディスク情報記録方法であって、
前記データ領域は、ボーダ領域で区切られる複数のボーダ付き領域を備え、
最外周に記録される前記ボーダ領域が記録される最後の領域であるファイナライズ領域であることを識別する手段を有する光ディスク情報記録方法。
【請求項１８】
請求項１７に記載の光ディスク情報記録方法において、
前記ボーダ領域は、前記ボーダ付き領域の内周端側に隣接するボーダイン領域を含み、
前記ボーダイン領域は、前記ボーダイン領域に隣接する前記ボーダ付き領域の外周側に隣接する前記ボーダ領域が前記ファイナライズ領域であるか否かを示すエリア兼用フラグが記録される領域を備え、
前記エリア兼用フラグに基づいて前記ファイナライズ領域を識別する光ディスク情報記録方法。
【請求項１９】
請求項１７または請求項１８に記載の光ディスク情報記録方法において、
前記ボーダ領域は、記録される情報の種類を示す属性を有し、
前記ボーダ領域が前記ファイナライズ領域である場合に、他のボーダ領域と異なる前記属性が設定される光ディスク情報記録方法。
【請求項２０】
請求項１９に記載の光ディスク情報記録方法において、
前記他のボーダ領域と異なる前記属性は、リードアウト属性である光ディスク情報記録方法。
【請求項２１】
請求項１７から請求項２０のいずれかに記載の光ディスク情報記録方法において、
前記ボーダ領域は、前記ボーダ付き領域の外周端側に隣接するボーダアウト領域を含み、
前記ボーダ領域が前記ファイナライズ領域である場合に、前記ボーダアウト領域に記録されるダミーデータは他のボーダアウト領域に記録されるダミーデータと異なる値である
光ディスク情報記録方法。
【発明の詳細な説明】
【技術分野】
【０００１】
本発明は、光ディスク装置に関し、特に微小な光スポットによりデータの記録再生を行う記録型光ディスク装置および記録型光ディスク装置に使用される光ディスク媒体に関する。
【背景技術】
【０００２】
微小な光スポットによりデータの記録再生を行う光ディスク分野において、予めエンボス状のデータピット列が形成された再生専用のＲＯＭ（Ｒｅａｄ  Ｏｎｌｙ  Ｍｅｍｏｒｙ）媒体に続いて、データの記録が出来る光ディスクであるＣＤ−Ｒ（Ｃｏｍｐａｃｔ  Ｄｉｓｃ−Ｒｅｃｏｒｄａｂｌｅ）やＤＶＤ−Ｒ（Ｄｉｇｉｔａｌ  Ｖｅｒｓａｔｉｌｅ  Ｄｉｓｃ−Ｒｅｃｏｒｄａｂｌｅ）が広く普及している。また、記録されたデータを書き換えることも可能なＣＤ−ＲＷ（ＣＤ−ＲｅＷｒｉｔａｂｌｅ）やＤＶＤ−ＲＷ（ＤＶＤ−ＲｅＷｒｉｔａｂｌｅ）と呼ばれる光ディスク媒体もある。ここではデータの記録が可能な光ディスク媒体を総称して記録型光ディスク媒体と呼ぶ。
【０００３】
記録型光ディスク媒体は、光ディスク基板にトラッキングのためのスパイラル状のグルーブトラックを形成し、その上に有機材料などによる多層の記録層を形成する。この記録層に高いパワーのレーザ光を集光して部分的に変質させて記録ピットを形成することで、データを記録する。記録後は、エンボス状のデータピット列が形成されたＲＯＭ媒体と同じ構成のデータフォーマットで、ほぼ同じ特性のサーボ信号を得ることができるので、再生専用のドライブ装置でも容易に再生できる利点がある。
【０００４】
また、ＤＶＤ−Ｒでは、ユーザデータに対して、アドレスなどのデータＩＤやエラー訂正符号などの付加情報を加えたフォーマットに変換して、一連の連続したデータとして光ディスク媒体に記録する。この連続記録したフォーマットはＤＶＤ−ＲＯＭのフォーマットと同じである。
【０００５】
ただし、ＤＶＤ−ＲＯＭとまったく同じフォーマットであると、一度しか記録出来ないことになるため、何回かデータを加えていけるようなマルチセッション、マルチボーダと呼ばれるような記録方式も設定されている。この場合は、ユーザデータの後にデータ位置の情報などを記録したボーダエリアという特殊データを記録して、その後からさらにユーザデータの記録を行うものである。再生装置は、このデータ位置情報を利用しながらユーザデータを再生することになる。
【０００６】
以下のように、ＣＤ−ＲＷまたはＤＶＤ−ＲＡＭのような再書込可能なタイプの記録担体に書き込む方法と書込装置、読み出し装置に関する技術が知られる。
【０００７】
特表２０００−５０４４６２号公報によれば、書込装置は、書込ユニットと位置決め手段とが設けられている。書込ユニットは、再書込可能型の記録担体にトラックパターンにて情報ブロックを書き込むべく、記録担体のエリアに電磁放射ビームにより情報ブロックを表すマークを書き込む。位置決め手段は、書込ユニットを記録担体のトラック構造に基づいて位置決めする。トラック構造がトラックパターンを有する。このような書込装置において、第１検出手段と、第２検出手段と、初期化手段とを有することを特徴とする技術が知られる。第１検出手段は、情報ブロックを書き込むために使用されている記録担体のエリアを検出する。第２検出手段は、使用されているエリアに隣接する未書込境界エリアを検出する。初期化手段は、未書込境界エリアにダミー情報を書き込む。
【０００８】
特表２０００−５０４４６３号公報によれば、書込み装置は、書込み可能型の記録担体上のトラックパターンに情報ブロックを書込む。この書込み装置には、書込みユニットと位置決め手段とが設けられている。書込みユニットは、情報ブロックを表すマークを電磁放射ビームを介して記録担体の領域に書込む。位置決め手段は、トラックパターンを表すトラック構造に基づいて書込みユニットを記録担体上で位置決めする。この書込み装置に、記録担体の少なくとも１つの領域に書込みが行なわれているという事実を表す状態情報を発生する状態手段が設けられる。この状態情報は、情報ブロックを書込むためのトラックパターン領域の開始部から延在し、中断なく書込まれた初期領域を表す初期領域情報を有するようにしたことを特徴とする。
【０００９】
【特許文献１】特表２０００−５０４４６２号公報
【特許文献２】特表２０００−５０４４６３号公報
【発明の開示】
【発明が解決しようとする課題】
【００１０】
本発明の目的は、光ディスク媒体に記録する時間が短縮される光ディスク装置、光ディスク情報記録方法及び光ディスク媒体を提供することにある。
【００１１】
本発明の他の目的は、光ディスク媒体に記録できるユーザデータの容量を増加させる光ディスク装置、光ディスク情報記録方法及び光ディスク媒体を提供することにある。
【課題を解決するための手段】
【００１２】
以下に、［発明を実施するための最良の形態］で使用される番号・符号を用いて、課題を解決するための手段を説明する。これらの番号・符号は、［特許請求の範囲］の記載と［発明を実施するための最良の形態］との対応関係を明らかにするために付加されたものである。ただし、それらの番号・符号を、［特許請求の範囲］に記載されている発明の技術的範囲の解釈に用いてはならない。
【００１３】
本発明の観点では、光ディスク媒体（６）は、制御管理情報が記録されるシステム領域（２２）とユーザデータが記録されるデータ領域（２３）とを備える。前記データ領域（２３）は、ボーダ領域（３２、３２−１〜３）で区切られる複数のボーダ付き領域（３１、３１−１〜３）を備える。光ディスク媒体（６）は、最外周に記録される前記ボーダ領域（３２−３）が記録される最後の領域であるファイナライズ領域であることを識別する手段を有する。
【００１４】
本発明の光ディスク媒体（６）において、前記ボーダ領域（３２−１〜２）は、前記ボーダ付き領域（３１−２〜３）の内周端側に隣接するボーダイン領域（３５−２〜３）を含む。前記ボーダイン領域（３５−２〜３）は、前記ボーダイン領域（３５−２〜３）に隣接する前記ボーダ付き領域（３１−２〜３）の外周側に隣接する前記ボーダ領域（３２−２〜３）が前記ファイナライズ領域であるか否かを示すエリア兼用フラグが記録される領域（４２）を備える。
【００１５】
本発明の光ディスク媒体（６）において、前記ボーダ領域（３２−１〜３）は、記録される情報の種類（カテゴリ）を示す属性を有する。前記ボーダ領域（３２−１〜３）が前記ファイナライズ領域である場合に、他のボーダ領域と異なる前記属性が設定される。
【００１６】
本発明の光ディスク媒体（６）において、前記他のボーダ領域と異なる前記属性は、リードアウト属性である。
【００１７】
本発明の光ディスク媒体（６）において、前記ボーダ領域（３２−１〜３）は、前記ボーダ付き領域（３１−１〜３）の外周端側に隣接するボーダアウト領域（３７−１〜３）を含む。前記ボーダ領域（３２−３）が前記ファイナライズ領域である場合に、前記ボーダアウト領域（３７−３）に記録されるダミーデータは他のボーダアウト領域（３７−１〜２）に記録されるダミーデータと異なる値である。
【００１８】
本発明の光ディスク媒体において、前記ファイナライズ領域の前記ボーダアウト領域（３７−３）に記録されるダミーデータは、ＦＦｈ（ｈは１６進数表記を示す）である。
【００１９】
本発明の他の観点では、光ディスク装置（４）は、制御管理情報を記録するシステム領域（２２）とユーザデータを記録するデータ領域（２３）とを備える光ディスク媒体（６）に情報を記録する。前記データ領域（２３）は、ボーダ領域（３２、３２−１〜３）で区切られる複数のボーダ付き領域（３１、３１−１〜３）を備える。光ディスク装置（４）は、最外周に記録される前記ボーダ領域（３２−３）が記録される最後の領域であるファイナライズ領域であることを識別する手段を記録する。
【００２０】
本発明の光ディスク装置（４）において、前記ボーダ領域（３２−１〜２）は、前記ボーダ付き領域（３１−２〜３）の内周端側に隣接するボーダイン領域（３５−２〜３）を含む。前記ボーダイン領域（３５−２〜３）に隣接する前記ボーダ付き領域（３１−２〜３）の外周側に隣接する前記ボーダ領域（３２−２〜３）が前記ファイナライズ領域であるか否かを示すエリア兼用フラグを前記ボーダイン領域（３５−２〜３）に確保された領域（４２）に記録する。
【００２１】
本発明の光ディスク装置（４）において、前記ボーダ領域（３２−１〜３）は、記録される情報の種類（カテゴリ）を示す属性を有する。前記ボーダ領域（３２−３）が前記ファイナライズ領域である場合に、前記ボーダ領域（３２−３）に他のボーダ領域（３２−１〜２）と異なる前記属性を設定する。
【００２２】
本発明の光ディスク装置（４）において、前記他のボーダ領域と異なる前記属性は、リードアウト属性である。
【００２３】
本発明の光ディスク装置（４）において、前記ボーダ領域（３２−１〜３）は、前記ボーダ付き領域（３１−１〜３）の外周端側に隣接するボーダアウト領域（３７−１〜３）を含む。光ディスク装置（４）は、前記ボーダ領域（３２−３）が前記ファイナライズ領域である場合に、他のボーダ領域（３２−１〜２）に記録されるダミーデータと異なる値のダミーデータを前記ボーダアウト領域（３７−３）に記録する。
【００２４】
また、本発明の他の観点では、光ディスク装置（４）は、制御管理情報が記録されるシステム領域（２２）とユーザデータが記録されるデータ領域（２３）とを備える光ディスク媒体（６）から情報を再生する。前記データ領域（２３）は、ボーダ領域（３２、３２−１〜３）で区切られる複数のボーダ付き領域（３１、３１−１〜３）を備える。光ディスク装置（４）は、記録される最後の領域であるファイナライズ領域であることを識別する手段を再生することによって最外周に記録される前記ボーダ領域（３２−３）を識別する。
【００２５】
本発明の光ディスク装置（４）において、前記ボーダ領域（３２−１〜２）は、前記ボーダ付き領域（３１−２〜３）の内周端側に隣接するボーダイン領域（３５−２〜３）を含む。前記ボーダイン領域（３５−２〜３）に隣接する前記ボーダ付き領域（３１−２〜３）の外周側に隣接する前記ボーダ領域（３２−２〜３）が前記ファイナライズ領域であるか否かを示すエリア兼用フラグを前記ボーダイン領域（３５−２〜３）に確保された領域（４２）から再生する。光ディスク装置（４）は、再生した前記エリア兼用フラグに基づいて前記ファイナライズ領域を識別する。
【００２６】
本発明の光ディスク装置（４）において、前記ボーダ領域（３２−１〜３）は、記録される情報の種類（カテゴリ）を示す属性を有する。再生される前記ボーダ領域（３２−１〜３）の前記属性が前記ボーダ領域（３２−２〜３）の内周側のボーダ領域（３２−１〜２）の属性と異なる場合に、前記再生される前記ボーダ領域（３２−３）が前記ファイナライズ領域であることを識別する。
【００２７】
本発明の光ディスク装置（４）において、前記ボーダ領域の内周側のボーダ領域の属性と異なる属性は、リードアウト属性である。
【００２８】
本発明の光ディスク装置（４）において、前記ボーダ領域（３２−１〜３）は、前記ボーダ付き領域（３１−１〜３）の外周端側に隣接するボーダアウト領域（３７−１〜３）を含む。前記ボーダアウト領域（３７−３）から再生されるダミーデータが前記ボーダアウト領域（３７−３）の内周側のボーダ領域（３７−１〜２）から再生されるダミーデータと異なる値の場合、光ディスク装置（４）は、前記ボーダ領域（３７−３）が前記ファイナライズ領域であることを識別する。
【００２９】
さらに、本発明の他の観点では、光ディスク情報記録方法は、制御管理情報が記録されるシステム領域（２２）と、ユーザデータが記録されるデータ領域（２３）とを備える光ディスク媒体（６）に記録する光ディスク情報記録方法である。前記データ領域（２３）は、ボーダ領域（３２、３２−１〜３）で区切られる複数のボーダ付き領域（３１、３１−１〜３）を備える。光ディスク情報記録方法は、最外周に記録される前記ボーダ領域（３２−３）が記録される最後の領域であるファイナライズ領域であることを識別する。
【００３０】
本発明の光ディスク情報記録方法において、前記ボーダ領域（３２−１〜２）は、前記ボーダ付き領域（３１−２〜３）の内周端側に隣接するボーダイン領域（３５−２〜３）を含む。前記ボーダイン領域（３５−２〜３）は、前記ボーダイン領域（３５−２〜３）に隣接する前記ボーダ付き領域（３１−２〜３）の外周側に隣接する前記ボーダ領域（３２−２〜３）が前記ファイナライズ領域であるか否かを示すエリア兼用フラグが記録される領域（４２）を備える。光ディスク情報記録方法は、前記エリア兼用フラグに基づいて前記ファイナライズ領域を識別する。
【００３１】
本発明の光ディスク情報記録方法において、前記ボーダ領域（３２−１〜３）は、記録される情報の種類（カテゴリ）を示す属性を有する。前記ボーダ領域（３２−３）が前記ファイナライズ領域である場合に、他のボーダ領域（３２−１〜２）と異なる前記属性が設定される。
【００３２】
本発明の光ディスク情報記録方法において、前記他のボーダ領域と異なる前記属性は、リードアウト属性である。
【００３３】
本発明の光ディスク情報記録方法において、前記ボーダ領域（３２−１〜３）は、前記ボーダ付き領域（３１−１〜３）の外周端側に隣接するボーダアウト領域（３７−１〜３）を含む。前記ボーダ領域（３２−３）が前記ファイナライズ領域である場合に、前記ボーダアウト領域に記録されるダミーデータは他のボーダアウト領域（３２−１〜２）に記録されるダミーデータと異なる値である。
【発明の効果】
【００３４】
本発明によれば、光ディスク媒体に記録する時間が短縮される光ディスク装置、光ディスク情報記録方法及び光ディスク媒体を提供することができる。
【００３５】
また、本発明によれば、光ディスク媒体に記録できるユーザデータの容量を増加させる光ディスク装置、光ディスク情報記録方法及び光ディスク媒体を提供することができる。
【発明を実施するための最良の形態】
【００３６】
以下に図面を参照して、本発明の実施の形態に係る光ディスク装置と光ディスク媒体、それを用いるデータ記録システムについて説明する。図１は、データ記録システムの構成を示す図である。光ディスク装置４は、ＤＶＤディスクのような光ディスク媒体６がセットされ、ホスト装置２からの命令に従ってデータを光ディスク媒体６に記録し、光ディスク媒体６からデータを読み出す。また光ディスク装置４は、書き込みを始める前にホスト装置２からの命令に応答して書き込み条件を確認調整するトレーニング処理を実行する。
【００３７】
図２は、本発明の光ディスク装置４の構成を示すブロック図である。光ディスク装置４は、ＣＰＵ１０、アクセス部１２、ディスクコントローラ１４、エンコーダ１６、デコーダ１８、回転駆動系２０とを備える。
【００３８】
ＣＰＵ１０は、光ディスク装置４の全体の動作を制御する。ＣＰＵ１０は、ホスト装置２と命令／指示／通知やデータを交換し、ディスクコントローラ１４及びエンコーダ１６、デコーダ１８を制御する。また、必要な演算を行う。
【００３９】
アクセス部１２は、レーザ光を用いて、データを光ディスク媒体６に書き込み、また光ディスク媒体６からデータを読み出す。アクセス部１２は当業者には良く知られているものである。回転駆動系２０は、光ディスク媒体６がセットされたとき、入力命令に応答して光ディスク媒体６を回転させるように駆動する。
【００４０】
ディスクコントローラ１４は、光ディスク媒体６に対しての回転・レーザ制御・データの読み出し／書き込みを行うようにアクセス部１２と回転駆動系２０を制御する。ディスクコントローラ１４は、ＣＰＵ１０からの命令に従って、光ディスク媒体６が回転されるように回転駆動系２０を駆動する。また、ディスクコントローラ１４は、ＣＰＵ１０からの命令に従って、アクセス部１２の位置を制御する。また、書き込みモードと読み出しモードでのアクセス部１２の動作を制御する。書き込みモードでは、ディスクコントローラ１４は、エンコーダ１６から供給されるデータを光ディスク媒体６に書き込むようにアクセス部１２を制御する。アクセス部１２はレーザ光を放射してデータを光ディスク媒体６に書き込む。また、読み出しモードでは、ディスクコントローラ１４は、光ディスク媒体６からデータを読み出すようにアクセス部１２を制御する。アクセス部１２はレーザ光を放射して光ディスク媒体６からデータを読み出す。読み出されたデータは、ディスクコントローラ１４を介してデコーダ１８に供給される。
【００４１】
エンコーダ１６は、ＣＰＵ１０からの命令に応答して、ユーザデータをエンコード処理し、例えばＤＶＤではＥＣＣブロック（１６セクタ）単位の書き込みデータを生成する。生成された書き込みデータは、ディスクコントローラ１４に供給される。
【００４２】
デコーダ１８は、ＣＰＵ１０からの命令に応答して、ＥＣＣブロック（１６セクタ）単位で光ディスク媒体６から読み出されたデータのデコード処理を行う。次世代のＤＶＤではＥＣＣブロックが３２セクタに拡大されるようなものも提案されている。
【００４３】
ＤＶＤ−ＲやＤＶＤ−ＲＷなどの記録型光ディスク媒体６は、光ディスク基板にトラッキングのためのスパイラル状のグルーブトラックが形成されている。その上に有機材料などによる多層の記録層が形成されている。この記録層に高いパワーのレーザ光を集光して部分的に変質させて記録ピットを形成し、データを記録する。記録後は、エンボスによる光ディスクＲＯＭ媒体（ＤＶＤ−ＲＯＭなど）と同じ構成のデータフォーマットとなる。また、光ディスクＲＯＭ媒体とほぼ同じ特性のサーボ信号を得ることができるので、再生専用のドライブ装置でも容易に再生できる利点がある。
【００４４】
記録型の光ディスク媒体６は、図３に示されるように、内側から同心円状にシステム領域２２、データ領域２３、リードアウト領域（図示せず）を備えている。
【００４５】
システム領域２２は、ディスクの情報及び利用者記録済みトラックの情報を含む記録動作や再生動作に必要なシステム情報を記録する。この領域には、ディスクを制御する情報を記録する領域や、記録条件テストをするための領域も確保されている。
【００４６】
リードアウト領域は、ディスクの終了を示す領域である。リードアウト領域が検出されると、光ディスク媒体の終了が認識されることになる。
【００４７】
データ領域２３は、システム領域２２の外側にあり、ユーザデータを記録する。データ領域２３には、スパイラル状の記録トラック２４が形成されている。
【００４８】
これらのデータ構造は、図４に示されるように、１次元で表現することができる。図４は、ディスク面の領域配置を、半径方向に沿って図示したものであり、左側がディスク内周方向で右側が外周方向になっている。内周側にあるシステム領域２２は、光ディスク装置が記録や再生をする場合に必要となるシステムの制御情報、光ディスク媒体上のデータの配置情報などが記録される領域である。システム領域２２は、ユーザデータリードインエリア２８、記録制御情報エリア２７、テスト記録エリア２６の３エリアに大別できる。
【００４９】
ユーザデータリードインエリア２８は、最もデータ領域２３側に配置される。この領域には、主に記録済みの記録型光ディスク媒体を、再生専用光ディスク装置で再生するために必要となるシステムの制御情報が記録されている。
【００５０】
記録制御情報エリア２７は、主に記録型の装置がユーザデータをデータ領域２３に記録するための情報である、データ領域２３内の次の記録可能位置やテスト記録エリア２６の使用状況などの情報が記載される。データ領域２３に記録された量が増えるにともなって、このエリアの情報も順次更新される。したがって、内周側から外周側に向かって所定の単位で新たな情報を書き加えられる。
【００５１】
テスト記録エリア２６は、記録するときの最適条件を探すための試し記録を行うエリアである。データ領域２３での記録条件を最適化するため、パワーや記録波形などを変化させて試し記録を行う。テスト記録エリア内をどのような順番で使用してもよいが、一般には、外周側から使用されることが多い。
【００５２】
このような光ディスク媒体６において、その終了化以前に再生専用装置でも記録されたデータを再生することができるように、即ち交換性を確保するためにボーダ領域が設けられる。このボーダ領域により区切られる領域は、ボーダ付き領域と称される。
【００５３】
図５から図７を参照して、第１の実施の形態を説明する。第１の実施の形態は、最外周に記録されるボーダ領域がファイナライズ領域であることを示すフラグをボーダイン領域に備えるものである。
【００５４】
第１の実施の形態に係る光ディスク媒体６は、システム領域２２のユーザデータリードイン領域２８の外周側にデータ領域２３を備える。図５に示されるように、データ領域２３には、複数のボーダ付き領域３１−１〜３とボーダ領域３２−１〜３とを備える。ここでは、ボーダ領域が３箇所の場合を説明するが、これに限定されない。ボーダ領域３２−１は、ボーダアウト領域３７−１とボーダイン領域３５−２を含み、ボーダ領域３２−２は、ボーダアウト領域３７−２とボーダイン領域３５−３を含む。また、ボーダ領域３２−３は、ボーダアウトが記録されるボーダアウト領域３７−３を含んでいる。
【００５５】
即ち、最内周のボーダ付き領域３１−１は、ユーザデータリードイン領域２８とボーダアウト領域３７−１に挟まれる構成になっている。また、ボーダ付き領域３１−２、３１−３は、それぞれボーダイン領域３５−２とボーダアウト領域３７−２、ボーダイン領域３５−３とボーダアウト領域３７−３に挟まれる構成になっている。
【００５６】
ボーダイン領域３５−２、３には、ユーザデータリードイン領域２８と同じようにフォーマット情報を含むボーダインが記録される。このフォーマット情報は、媒体の種類、規格書のバージョン番号、次のボーダ領域の位置等を含んでいる。例えばＤＶＤ−Ｒの場合、１ＥＣＣブロック長のフォーマット情報を数回繰り返し記録されてボーダインが構成され、ボーダイン領域３５−２、３に記録されている。したがって、ボーダイン領域３５−２、３は、フォーマット情報が記録されるＥＣＣブロック４１が数個配置されることになる。
【００５７】
本実施の形態では、ボーダ付き領域３１−３がユーザデータを記録される最外周の領域であり、ボーダ領域３２−３の外周側は未記録領域３９である。このボーダ領域３２−３がファイナライズされているか否かを示すエリア兼用フラグ４２を、このフォーマット情報に追加して記録する。
【００５８】
即ち、フォーマット情報領域４１に設定されるエリア兼用フラグ４２がＯＮであれば、そのボーダイン領域３５−３に続くボーダ付き領域３１−３がユーザデータを記録される最外周の領域であり、ボーダ領域３２−３の外周側は未記録エリア３９になることが示される。また、エリア兼用フラグ４２がＯＦＦであれば、そのボーダイン領域３５−２に続くボーダ付き領域３１−２の外周側には、さらにユーザデータが記録されるボーダ付き領域３１−３が存在することが示される。
【００５９】
このように、エリア兼用フラグ４２をフォーマット情報の一部としてボーダイン領域３５−２、３に記録することにより、光ディスク媒体６の最外周に従来備えていたユーザデータリードアウト領域を省略することが可能となる。したがって、ユーザデータリードアウトを記録する処理時間も削減することができ、記録時間の短縮ができる。エリア兼用フラグは、専用にフラグビットを割り当てても良いし、次のボーダイン領域アドレスを指定する領域を“００”などの特殊データで埋めることでも同じ機能を実現できる。
【００６０】
図６を参照して光ディスク媒体６にユーザデータを記録する記録装置４の動作を説明する。光ディスク媒体６にユーザデータを記録する指示があると記録装置４は、情報を記録する領域を設定する。ボーダ付き領域３１−１までユーザデータが記録されている時にユーザデータの追加記録の指示があったとすると、ボーダアウト領域３７−１までは既に記録されている。したがって、フォーマット情報を記録するボーダイン領域の開始アドレスは決定されているので、終了アドレスを設定し、ボーダイン領域３５−２の範囲を明確にする。ボーダイン領域３５−２の範囲が決まると、ボーダイン領域３５−２に隣接するボーダ付き領域３１−２の開始アドレスが定まり、ユーザデータが記録できるようになる（ステップＳ１１）。
【００６１】
ユーザデータが記録される領域を設定すると、記録装置４は、ユーザデータをボーダ付き領域３１−２に記録していく（ステップＳ１２）。ユーザデータの記録が終了すると、ユーザデータが記録されたボーダ付き領域３１−２に続けてボーダアウトを記録する。ボーダアウトが記録された領域は、ボーダアウト領域３７−２となる（ステップＳ１３）。
【００６２】
さらにユーザデータの記録があるか、全てのユーザデータを記録し終わり、その光ディスク媒体６に追加して記録することがないか、ホスト装置２から指示を受ける（ステップＳ１４）。さらにユーザデータの記録がある場合（ステップＳ１４−ＮＯ）、記録装置４はエリア兼用フラグ４２をＯＦＦに設定し、他のフォマット情報とともにボーダイン領域３５−２に記録する（ステップＳ１６）。
【００６３】
ユーザデータの記録がボーダ付き領域３１−３である場合のように、全てのユーザデータを記録し終わり、光ディスク媒体６に追加して記録することがない場合（ステップＳ１４−ＹＥＳ）、記録装置４はエリア兼用フラグ４２をＯＮに設定し、他のフォマット情報とともにボーダイン領域３５−３に記録する。また、システム領域２２の未記録部分にダミーデータを記録するなど、ファイナライズするために必要な処理を行う（ステップＳ１８）。ボーダアウト領域３７−３の外周側にユーザデータが記録されることはなく、未記録領域３９が残留したまま光ディスク媒体６の記録が完了する。
【００６４】
図７を参照して上記のように記録された光ディスク媒体６からユーザデータを再生する再生装置４の動作を説明する。光ディスク媒体６からユーザデータを再生する時、まず再生装置４は、ユーザデータリードイン、或いはボーダインに記録されているフォーマット情報を取り込むため、ユーザデータリードイン領域、ボーダイン領域をアクセスする（ステップＳ２１）。
【００６５】
取り込んだフォーマット情報のうちエリア兼用フラグ４２は、アクセスしたボーダイン領域３５に続くボーダ付き領域３１が、ユーザデータが記録された最後の領域であるか否かを示しているため、エリア兼用フラグ４２の内容を保持する（ステップＳ２３）。
【００６６】
ボーダ付き領域３１をアクセスし、ユーザデータを再生する（ステップＳ２５）。ボーダ付き領域３１からユーザデータを再生し終わると、ステップＳ２３で記憶したエリア兼用フラグ４２の内容を確認する（ステップＳ２７）。ボーダ付き領域３１―２の再生時のように、エリア兼用フラグ４２がＯＦＦであれば（ステップＳ２７−ＯＦＦ）、さらにユーザデータが記録されているボーダ付き領域３１―３が存在するため、ステップＳ２１に戻って次のボーダ付き領域３１のユーザデータの再生を行う。
【００６７】
ボーダ付き領域３１―３の再生時のように、エリア兼用フラグ４２がＯＮであれば（ステップＳ２７−ＯＮ）、ユーザデータを再生し終わったボーダ付き領域３１−３に続くボーダ領域３２−３が光ディスク媒体６に記録された最後の領域であるため、ユーザデータの再生を完了する。
【００６８】
このように、ボーダイン領域３５にフラグを備えることにより、最外周のボーダ領域３２−３（ボーダアウト領域３７−３）をボーダアウトにユーザデータリードアウトの機能を兼用させることができる。したがって、ユーザデータリードアウト領域を別に確保する必要が無く、記録領域の有効利用が可能となる。また、光ディスク媒体６に記録する量も削減することが可能となって、記録時間を短縮することができる。
【００６９】
図８から図１０を参照して、第２の実施の形態を説明する。第２の実施の形態は、最外周に記録されるボーダ領域がファイナライズ領域であることを示すフラグをボーダアウト領域に備えるものである。
【００７０】
第２の実施の形態に係る光ディスク媒体６は、システム領域２２のユーザデータリードイン領域２８の外周側にデータ領域２３を備える。図８に示されるように、データ領域２３には、複数のボーダ付き領域３１−１〜３とボーダ領域３２−１〜３とを備える。ここでは、ボーダ領域が３箇所の場合を説明するが、これに限定されない。ボーダ領域３２−１は、ボーダアウト領域３７−１とボーダイン領域３５−２を含み、ボーダ領域３２−２は、ボーダアウト領域３７−２とボーダイン領域３５−３を含む。また、ボーダ領域３２−３は、ボーダアウトが記録されるボーダアウト領域３７−３を含んでいる。
【００７１】
即ち、最内周のボーダ付き領域３１−１は、ユーザデータリードイン領域２８とボーダアウト領域３７−１に挟まれる構成になっている。また、ボーダ付き領域３１−２、３１−３は、それぞれボーダイン領域３５−２とボーダアウト領域３７−２、ボーダイン領域３５−３とボーダアウト領域３７−３に挟まれる構成になっている。
【００７２】
これらの記録領域は、２キロバイト単位のセクタと称される記録領域の基本単位に情報が記録されている。したがって、ボーダアウト領域３７−１〜３もいくつかのセクタ５１にボーダアウトの情報が記録されて構成されている。このセクタ５１は、データを格納するデータ部と、記録、再生する順番を示すセクタアドレスと付加情報などが記録されるヘッダ領域５３を有している。ヘッダ領域５３には、セクタ５１がどの記録属性（カテゴリ）の領域に属しているかを示すエリアタイプが記録される領域５５が確保されている。
【００７３】
エリアタイプは、リードイン、データ、リードアウトの３種の属性がある。リードイン属性は、ユーザデータリードイン領域２８に属するセクタに対して与えられる属性であり、システム領域であることを示している。リードアウト属性は、ユーザデータアウト領域に属するセクタに対して与えられる属性であり、システム領域であることを示している。データ属性は、ユーザデータが記録される領域に属するセクタに対して与えられる。即ち、データ属性は、そのセクタがシステム領域以外の領域に属していることを示している。ボーダイン領域３５、ボーダアウト領域３７は、通常、ユーザデータが記録される領域であり、このデータ属性が与えられる。
【００７４】
本実施の形態では、このボーダアウト領域３７−３にリードアウト属性を付与するものである。即ち、記録装置４がボーダアウトを記録するときに、そのボーダアウトで光ディスク媒体６への記録が完了する場合、ボーダアウト領域３７−３に属するセクタ５１にはリードアウト属性を付与して記録する。このようにボーダアウト領域３７−３の属性をリードアウト属性にすることにより、ボーダアウト領域３７−３が最外周の記録された領域であり、その外周側には未記録領域３９しか存在しないことを示すものである。ボーダアウト領域３７−３がリードアウト属性を持つことにより、光ディスク媒体６の最外周に従来備えていたユーザデータリードアウト領域を省略することが可能となる。したがって、ユーザデータリードアウトを記録する処理時間も削減することができ、記録時間の短縮ができる。ここでは、リードアウト属性を付与されたボーダアウト領域がリードアウト領域の機能を兼用するとしたが、兼用することを示す属性を新しく設定してもよい。
【００７５】
図９を参照して光ディスク媒体６にユーザデータを記録する記録装置４の動作を説明する。光ディスク媒体６にユーザデータを記録する指示があると記録装置４は、情報を記録する領域を設定する。ボーダ付き領域３１−１までユーザデータが記録されている時にユーザデータの追加記録の指示があったとすると、ボーダアウト領域３７−１までは既に記録されている。したがって、フォーマット情報を記録するボーダイン領域の開始アドレスは決定されているので、終了アドレスを設定し、ボーダイン領域３５−２の範囲を明確にする。ボーダイン領域３５−２の範囲が決まると、ボーダイン領域３５−２に隣接するボーダ付き領域３１−２の開始アドレスが定まり、ユーザデータが記録できるようになる（ステップＳ３１）。
【００７６】
ユーザデータが記録される領域を設定すると、記録装置４はユーザデータをボーダ付き領域３１−２に記録していく（ステップＳ３２）。
【００７７】
ユーザデータの記録が終了すると、さらにユーザデータの記録があるか、全てのユーザデータを記録し終わり、その光ディスク媒体６に追加して記録することがないか、ホスト装置２から指示を受ける（ステップＳ３３）。さらにユーザデータの記録がある場合（ステップＳ３３−ＮＯ）、ユーザデータが記録されたボーダ付き領域３１−２に続けてボーダアウトを記録する。このとき、ボーダアウト領域３７−２に付与される属性は、データ属性である。したがって、セクタ５１に記録されるエリアタイプ５５はデータ属性が設定され、ボーダアウト領域３７−２にボーダアウトが記録される（ステップＳ３５）。
【００７８】
ボーダアウト領域３７−２にボーダアウトが記録され、ボーダ領域３２−２の記録位置が設定されたため、フォーマット情報の次ボーダ領域の位置の情報が確定する。したがって、ボーダイン領域３５−２に記録するフォーマット情報が確定し、ボーダイン領域３５−２にフォーマット情報を記録する（ステップＳ３６）。その後、次のユーザデータの記録をホスト装置２から指示され、ステップＳ３１から繰り返す。
【００７９】
ステップＳ３２において、光ディスク媒体６の最後のユーザデータをボーダ付き領域３１−３に記録していた場合、ユーザデータの記録が終了すると、さらにユーザデータの記録があるか、全てのユーザデータを記録し終わりその光ディスク媒体６に追加して記録することがないか、ホスト装置２から指示を受ける（ステップＳ３３）。全てのユーザデータを記録し終わり、その光ディスク媒体６に追加して記録することがない場合（ステップＳ３３−ＹＥＳ）、記録装置４はユーザデータが記録されたボーダ付き領域３１−３に続けてボーダアウトを記録する。このとき、ボーダアウト領域３７−３に付与される属性は、リードアウト属性である。したがって、セクタ５１に記録されるエリアタイプ５５はリードアウト属性が設定され、ボーダアウト領域３７−３にボーダアウトが記録される（ステップＳ３８）。
【００８０】
フォーマット情報も確定するため、ボーダイン領域３５−３にフォーマット情報を記録する。また、システム領域２２の未記録部分にダミーデータを記録するなど、ファイナライズするために必要な処理を行う。光ディスク媒体６へのユーザデータの記録は完了する（ステップＳ３９）。ここでは、ボーダアウトを記録してからボーダインを記録するように説明したが、ボーダインを記録してからボーダアウトを記録してもよい。
【００８１】
図１０を参照して上記のように記録された光ディスク媒体６からユーザデータを再生する再生装置４の動作を説明する。光ディスク媒体６からユーザデータを再生する時、まず再生装置４は、ユーザデータリードイン、或いはボーダインに記録されているフォーマット情報を取り込むため、ユーザデータリードイン領域、ボーダイン領域をアクセスする（ステップＳ４１）。ユーザデータリードイン領域の属性は、リードイン属性が付与されている。また、ボーダイン領域は、データ属性が付与されている。
【００８２】
取り込んだフォーマット情報に基づいて再生すべきユーザデータが記録されているボーダ付き領域３１をアクセスし、ユーザデータを再生する（ステップＳ４３）。このボーダ付き領域３１は、データ属性が付与されている。
【００８３】
ボーダ付き領域３１からユーザデータを再生し終わると、ボーダアウト領域３７をアクセスする。ボーダアウト領域３７に記録されているエリアタイプ５５を取り込む（ステップＳ４５）。
【００８４】
アクセスしたボーダアウト領域が、ボーダアウト領域３７−１またはボーダアウト領域３７−２である場合は、その外周側にさらにボーダ付き領域３１−２、３が記録されているため、データ属性が付与されている。したがって、再生装置４は、エリアタイプ５５としてデータ属性を取り込み、このボーダアウト領域３７−２が光ディスク媒体６の最後の記録領域ではないことを識別できる。即ち、エリアタイプ５５がデータ属性を示している場合は（ステップＳ４７−データ属性）、ステップＳ４１に戻り次のボーダ付き領域３１からユーザデータを取り込む。
【００８５】
アクセスしたボーダアウト領域が、ボーダアウト領域３７−３である場合は、ボーダアウト領域３７−３が光ディスク媒体６の最後の記録領域であり、エリアタイプ５５としてリードアウト属性が付与されている。したがって、再生装置４は、エリアタイプ５５としてリードアウト属性を取り込み、このボーダアウト領域３７−３が光ディスク媒体６の最後の記録領域であることを識別できる。即ち、エリアタイプ５５がリードアウト属性を示している場合は（ステップＳ４７−リードアウト属性）、これ以上のユーザデータは記録されていないとして、光ディスク媒体６からのユーザデータの再生を終了する。
【００８６】
このように、セクタのエリアタイプを利用して最外周のボーダ領域３２−３（ボーダアウト領域３７−３）をボーダアウトとユーザデータリードアウトとに兼用することができる。したがって、ユーザデータリードアウト領域を別に確保する必要が無く、記録領域の有効利用が可能となる。また、光ディスク媒体６に記録する量も削減することが可能となり、記録時間を短縮することができる。
【００８７】
図１１から図１３を参照して、第３の実施の形態を説明する。第３の実施の形態は、ファイナライズ領域であることを示すダミーデータが最外周のボーダアウト領域に記録されるものである。
【００８８】
第３の実施の形態に係る光ディスク媒体６は、システム領域２２のユーザデータリードイン領域２８の外周側にデータ領域２３を備える。図１１に示されるように、データ領域２３には、複数のボーダ付き領域３１−１〜３とボーダ領域３２−１〜３とを備える。ここでは、ボーダ領域が３箇所の場合を説明するが、これに限定されない。ボーダ領域３２−１は、ボーダアウト領域３７−１とボーダイン領域３５−２を含み、ボーダ領域３２−２は、ボーダアウト領域３７−２とボーダイン領域３５−３を含む。また、ボーダ領域３２−３は、ボーダアウトが記録されるボーダアウト領域３７−３を含んでいる。
【００８９】
即ち、最内周のボーダ付き領域３１−１は、ユーザデータリードイン領域２８とボーダアウト領域３７−１に挟まれる構成になっている。また、ボーダ付き領域３１−２、３１−３は、それぞれボーダイン領域３５−２とボーダアウト領域３７−２、ボーダイン領域３５−３とボーダアウト領域３７−３に挟まれる構成になっている。
【００９０】
ボーダアウト領域６０は、ユーザデータを記録、再生するときに使用する記録制御情報が記録されるエリア６１と、ダミーデータが記録されるエリア６２とを備えている。再生専用機器では、記録されている領域は全て連続していなければ再生することができない。ダミーデータが記録されるエリア６２は、予約領域などの空領域であるが、ＤＶＤ−ＲＯＭ媒体の再生専用機器でも追記型媒体を再生することができるようにするため、ダミーデータが記録される。従来の例えばＤＶＤ−Ｒの場合、ダミーデータとして“００”が用いられている。
【００９１】
本実施の形態では、ファイナライズする場合としない場合で異なるダミーデータを用いる。従来の方式との互換性を保持するために、ファイナライズしない場合のダミーデータは、従来通り“００”を使用する。ファイナライズする場合のダミーデータは、“ＦＦ”（１６進数表示）を使用する。データパターンは、これらに限定されるものではなく、ファイナライズしない場合のダミーデータを“ＦＦ”、ファイナライズする場合のダミーデータを“００”としても良いし、複数オクテットで構成されるパターンであってもよい。
【００９２】
したがって、記録が続くボーダアウト領域３７−１、２のエリア６２は、ダミーデータ“００”が記録される。その外周側にユーザデータの記録がないボーダアウト領域３７−３のエリア６２は、ダミーデータ“ＦＦ”が記録される。
【００９３】
このように記録された光ディスク媒体６を再生する場合、ボーダアウト領域のダミーデータを読み取ることによって、そのボーダアウト領域が、その外周側にボーダ付き領域が続くファイナライズされていない領域であるか、最外周のボーダアウト領域でファイナライズされているのか識別できる。最外周のボーダアウト領域でファイナライズされていることが識別できれば、その外周側にユーザデータリードアウト領域は必要なくなる。即ち、光ディスク媒体６の最外周に従来備えていたユーザデータリードアウト領域を省略することが可能となる。したがって、ユーザデータリードアウトを記録する処理時間も削減することができ、記録時間の短縮ができる。
【００９４】
図１２を参照して光ディスク媒体６にユーザデータを記録する記録装置４の動作を説明する。光ディスク媒体６にユーザデータを記録する指示があると記録装置４は、情報を記録する領域を設定する。ボーダ付き領域３１−１までユーザデータが記録されている時にユーザデータの追加記録の指示があったとすると、ボーダアウト領域３７−１までは既に記録されている。したがって、フォーマット情報を記録するボーダイン領域の開始アドレスは決定されているので、終了アドレスを設定し、ボーダイン領域３５−２の範囲を明確にする。ボーダイン領域３５−２の範囲が決まると、ボーダイン領域３５−２に隣接するボーダ付き領域３１−２の開始アドレスが定まり、ユーザデータが記録できるようになる（ステップＳ５１）。
【００９５】
ユーザデータが記録する領域を設定すると、記録装置４はユーザデータをボーダ付き領域３１−２に記録していく（ステップＳ５２）。ユーザデータの記録が終了すると、さらにユーザデータの記録があるか、全てのユーザデータを記録し終わり、その光ディスク媒体６に追加して記録することがないか、ホスト装置２から指示を受ける（ステップＳ５３）。
【００９６】
さらにユーザデータの記録がある場合（ステップＳ５３−ＮＯ）、記録装置４はユーザデータが記録されたボーダ付き領域３１−２に続けてボーダアウトを記録する。このとき、ボーダアウト領域３７−２のエリア６２に記録するダミーデータは、“００”とする（ステップＳ５５）。
【００９７】
ボーダアウト領域３７−２にボーダアウトが記録され、ボーダ領域３２−２の記録位置が設定されたため、フォーマット情報の次ボーダ領域の位置の情報が確定する。したがって、ボーダイン領域３５−２に記録するフォーマット情報が確定し、ボーダイン領域３５−２にフォーマット情報を記録する（ステップＳ５６）。その後、次のユーザデータの記録をホスト装置２から指示され、ステップＳ５１から繰り返す。
【００９８】
ステップＳ５２において、光ディスク媒体６の最後のユーザデータをボーダ付き領域３１−３に記録していた場合、ユーザデータの記録が終了すると、さらにユーザデータの記録があるか、全てのユーザデータを記録し終わりその光ディスク媒体６に追加して記録することがないか、ホスト装置２から指示を受ける（ステップＳ５３）。全てのユーザデータを記録し終わり、その光ディスク媒体６に追加して記録することがない場合（ステップＳ５３−ＹＥＳ）、記録装置４はユーザデータが記録されたボーダ付き領域３１−３に続けてボーダアウトを記録する。このとき、ボーダアウト領域３７−３のエリア６２に記録されるダミーデータは、“ＦＦ”とする（ステップＳ５８）。
【００９９】
フォーマット情報も確定するため、ボーダイン領域３５−３にフォーマット情報を記録する。また、システム領域２２の未記録部分にダミーデータを記録するなど、ファイナライズするために必要な処理を行う。光ディスク媒体６へのユーザデータの記録は完了する（ステップＳ５９）。ここでは、ボーダアウトを記録してからボーダインを記録するように説明したが、ボーダインを記録してからボーダアウトを記録してもよい。
【０１００】
図１３を参照して上記のように記録された光ディスク媒体６からユーザデータを再生する再生装置４の動作を説明する。光ディスク媒体６からユーザデータを再生する時、まず再生装置４は、ユーザデータリードイン、或いはボーダインに記録されているフォーマット情報を取り込むため、ユーザデータリードイン領域、ボーダイン領域をアクセスする（ステップＳ６１）。
【０１０１】
取り込んだフォーマット情報に基づいて再生すべきユーザデータが記録されているボーダ付き領域３１をアクセスし、ユーザデータを再生する（ステップＳ６３）。ボーダ付き領域３１からユーザデータを再生し終わると、ボーダアウト領域３７をアクセスする。ボーダアウト領域３７のエリア６２に記録されているダミーデータを取り込む（ステップＳ６５）。
【０１０２】
取り込んだダミーデータが、“００”であれば（ステップＳ６７−００）、ボーダ付き領域３１―２のように、さらにユーザデータが記録されているボーダ付き領域３１―３が存在するため、ステップＳ６１に戻って次のボーダ付き領域３１のユーザデータの再生を行う。
【０１０３】
取り込んだダミーデータが、“ＦＦ”であれば（ステップＳ６７−ＦＦ）、ユーザデータを再生し終わったボーダ付き領域３１−３に続くボーダ領域３２−３が光ディスク媒体６に記録された最後の領域であるため、ユーザデータの再生を完了する。
【０１０４】
このように、ボーダアウト領域のエリア６２に記録するダミーデータをファイナライズの有無により替えることにより、最外周のボーダ領域３２−３（ボーダアウト領域３７−３）をボーダアウトとユーザデータリードアウトとに兼用することができる。したがって、ユーザデータリードアウト領域を別に確保する必要が無く、記録領域の有効利用が可能となる。また、光ディスク媒体６に記録する量も削減することが可能となって、記録時間を短縮することができる。
【０１０５】
以上のように第１から第３の実施の形態を説明したが、これらを組み合せて実施することも可能である。
【０１０６】
従来の光ディスク媒体６では、記録の完了を示すリードアウト領域が、ボーダ領域３２−３に続いて配置される。このリードアウト領域は、ディスクの終了を示す領域である。再生時にリードアウト領域が検出されると、光ディスク媒体の終了が認識されることになる。従来、ＲＯＭ媒体との互換性を維持するために、ガードエリアとして、ＲＯＭの仕様に基づいて大容量のリードアウト領域を備えていた。ＤＶＤ−Ｒにおいては、ユーザデータリードアウトの光ディスク半径方向の幅として、５００μｍ以上を記録している。一方、ボーダ領域の半径方の幅は、数１００μｍ程度である。
【０１０７】
本発明によれば、ボーダイン領域３５−３におけるエリア兼用フラグ４２、或いはボーダアウト領域３７−３におけるエリアタイプ５５、或いはボーダアウト領域３７−３におけるダミーデータは、ボーダ領域３２−３の記録により光ディスク媒体６がファイナライズされたことを示している。したがって、光ディスク媒体の終了を認識できるリードアウト領域は不要となる。その分の記録処理を行う必要がなく、ファイナライズ処理の時間を短縮することができる。
【図面の簡単な説明】
【０１０８】
【図１】本発明の光ディスクシステムの構成を示す図である。
【図２】本発明の光ディスク装置の構成を示す図である。
【図３】本発明の光ディスク媒体の構成を示す図である。
【図４】本発明の光ディスク媒体の論理構成を示す図である。
【図５】本発明の第１の実施の形態のデータ領域の構成を示す図である。
【図６】同データ領域に記録する動作を示す図である。
【図７】同データ領域から再生する動作を示す図である。
【図８】本発明の第２の実施の形態のデータ領域の構成を示す図である。
【図９】同データ領域に記録する動作を示す図である。
【図１０】同データ領域から再生する動作を示す図である。
【図１１】本発明の第３の実施の形態のデータ領域の構成を示す図である。
【図１２】同データ領域に記録する動作を示す図である。
【図１３】同データ領域から再生する動作を示す図である。
【符号の説明】
【０１０９】
２  ホスト装置
４  光ディスク装置
６  光ディスク媒体
１０  ＣＰＵ
１２  アクセス部
１４  ディスクコントローラ
１６  エンコーダ
１８  デコーダ
２０  回転駆動系
２２  システム領域
２３  データ領域
２４  記録トラック
２６  テスト記録エリア
２７  記録制御情報エリア
２８  ユーザデータリードインエリア
３１−１〜３  ボーダ付き領域
３２−１〜３  ボーダ領域
３５−２〜３  ボーダイン領域
３７−１〜３  ボーダアウト領域
３９  未記録領域
４１  フォーマット情報が記録されるＥＣＣブロック
４２  エリア兼用フラグ
５１  セクタ
５３  ヘッダ領域
５５  エリアタイプ
５８  データ部
６０  ボーダアウト領域
６１  記録制御情報が記録されるエリア
６２  ダミーデータが記録されるエリア
【図１】
2005317073.tif 000003
【図２】
2005317073.tif 000004
【図３】
2005317073.tif 000005
【図４】
2005317073.tif 000006
【図５】
2005317073.tif 000007
【図６】
2005317073.tif 000008
【図７】
2005317073.tif 000009
【図８】
2005317073.tif 000010
【図９】
2005317073.tif 000011
【図１０】
2005317073.tif 000012
【図１１】
2005317073.tif 000013
【図１２】
2005317073.tif 000014
【図１３】
2005317073.tif 000015